(57)【要約】【課題】屈曲し難い太い径の電線を使用する場合でも、電線の取り扱いや設置が容易な電線の保持構造。【解決手段】芯線が絶縁被覆により被覆された電線の屈曲された屈曲部が保持部材により保持された電線の保持構造であって、前記屈曲部は、前記絶縁被覆が剥がされて露出した状態の前記芯線が屈曲されるとともに絶縁性の前記保持部材により覆われた状態で屈曲状態が保持されており、前記保持部材は、前記電線の延び方向において前記屈曲部の両側に位置する前記絶縁被覆を収容する一対の被覆収容部を有している。【選択図】図３
2018153020.tif 000002
【特許請求の範囲】
【請求項１】
芯線が絶縁被覆により被覆された電線の屈曲された屈曲部が保持部材により保持された電線の保持構造であって、
前記屈曲部は、前記絶縁被覆が剥がされて露出した状態の前記芯線が屈曲されるとともに絶縁性の前記保持部材により覆われた状態で屈曲状態が保持されており、
前記保持部材は、前記電線の延び方向において前記屈曲部の両側に位置する前記絶縁被覆を収容する一対の被覆収容部を有している、電線の保持構造。
【請求項２】
前記保持部材は内部に収容した前記電線の余長を吸収する余長吸収部を備えている請求項１に記載の電線の保持構造。
【請求項３】
前記保持部材は内部に収容した前記露出した状態の芯線を抜け止め状態に保持する抜止部を備えている請求項１または請求項２に記載の電線の保持構造。
【請求項４】
前記保持部材は被取付部に取り付けるための取付部を一体に備えている請求項１ないし請求項３のいずれか一項に記載の電線の保持構造。
【請求項５】
前記保持部材は前記延び方向に沿って分割された第１分割体および第２分割体を備えており、
前記第１分割体は、前記絶縁被覆の周囲を第２保持部との間で保持する第１保持部を備えており、
前記第２分割体は、前記第１分割体に組み付けられた状態で前記第１保持部との間で前記絶縁被覆の周囲を保持する前記第２保持部を備えている、請求項１ないし請求項４のいずれか一項に記載の電線の保持構造。
【発明の詳細な説明】
【技術分野】
【０００１】
本発明は、電線の保持構造に関する。
【背景技術】
【０００２】
例えば電池自動車やハイブリッド電気自動車等の車両に搭載されるバッテリーは、複数のモジュール集合体同士を電気的に接続してなる。このような複数のモジュール集合体間の接続は、大電流が流れるため、バスバーや径の太い電線等により行われる。
【先行技術文献】
【特許文献】
【０００３】
【特許文献１】特開２００２−１０４３９号公報
【発明の概要】
【発明が解決しようとする課題】
【０００４】
しかし、バスバーにより接続する場合には、モジュール集合体の配置により専用の形状のバスバーおよび絶縁カバーが必要となったり、設置時の公差吸収が困難であるという問題がある。また、電線により接続する場合には、径が太いため、屈曲し難い等取り扱いが困難であるとともに、配索状態の美観が悪かったり、屈曲状態から戻ろうとする回復力によりモジュール集合体の配置や接続状態に悪影響を及ぼす虞がある。
【０００５】
本発明は上記のような事情に基づいて完成されたものであって、屈曲し難い太い径の電線を使用する場合でも、電線の取り扱いや設置が容易な電線の保持構造を提供することを目的とするものである。
【課題を解決するための手段】
【０００６】
本発明は、芯線が絶縁被覆により被覆された電線の屈曲された屈曲部が保持部材により保持された電線の保持構造であって、前記屈曲部は、前記絶縁被覆が剥がされて露出した状態の前記芯線が屈曲されるとともに絶縁性の前記保持部材により覆われた状態で屈曲状態が保持されており、前記保持部材は、前記電線の延び方向において前記屈曲部の両側に位置する前記絶縁被覆を収容する一対の被覆収容部を有している。
【０００７】
このような構成によれば、電線は露出された芯線の部分で屈曲されるから、所望の角度に屈曲し易い。また、屈曲部に絶縁被覆による回復力も作用しないから、屈曲状態が維持され易い。しかも、この屈曲部は絶縁性の保持部材により被覆されて、屈曲状態が確実に保持されるようになっている。また、保持部材により外部との絶縁性も確保される。
【０００８】
さらに、保持部材は被覆保持部を有しているから、芯線の露出部と保持部材との寸法公差や、電線の設置公差が生じた場合でも、保持部材から芯線が露出することが抑制され、絶縁性がより確実に確保される。
【０００９】
上記電線の保持構造は、以下の構成を備えていてもよい。
【００１０】
保持部材は内部に収容した電線の余長を吸収する余長吸収部を備えていてもよい。
【００１１】
このような構成によれば、芯線の露出部と保持部材との寸法公差や、例えば、接続部材間の配置交差（電線の設置公差）が大きい場合でも、保持部材の余長吸収部によりそれらの公差を吸収することができる。
【００１２】
保持部材は内部に収容した露出した状態の芯線を抜け止め状態に保持する抜止部を備えていてもよい。このような構成によれば、保持部材から芯線が露出することがより確実に抑制される。
【００１３】
保持部材は被取付部に取り付けるための取付部を一体に備えていてもよい。このような構成によれば、電線を取り付けたい所望の位置に安定した状態で配索することができる。
【００１４】
保持部材は電線の延び方向に沿って分割された第１分割体および第２分割体を備えており、第１分割体は、絶縁被覆の周囲を第２保持部との間で保持する第１保持部を備えており、第２分割体は、第１分割体に組み付けられた状態で第１保持部との間で絶縁被覆の周囲を保持する第２保持部を備えている構成としてもよい。
【００１５】
このような構成によれば、屈曲された電線に保持部材を簡単に取り付けることができる。また、第１分割体と第２分割体との組み付け状態においては、第１保持部と第２保持部との間に絶縁被覆の周囲を保持するようになっているから、電線が延び方向において保持部材から位置ずれすることが抑制されるとともに、電線が振動によりがたつくことが抑制される。
【発明の効果】
【００１６】
本発明によれば、屈曲し難い太い径の電線を使用する場合でも、電線の取り扱いや設置が容易な電線の保持構造が得られる。
【図面の簡単な説明】
【００１７】
【図１】一実施形態の電線の保持構造を示す斜視図
【図２】同じく電線の保持構造を示す分解斜視図
【図３】保持部材および電線の斜め前方からの分解斜視図
【図４】保持部材および電線の斜め後方からの分解斜視図
【図５】内側ホルダの正面図
【図６】内側ホルダの背面図
【図７】内側ホルダの右側面図
【図８】外側ホルダの平面図
【図９】外側ホルダの背面図
【図１０】外側ホルダの左側面図
【図１１】クランプの正面図
【図１２】クランプの背面図
【図１３】クランプの左側面図
【図１４】電線を内側ホルダに組み付けた状態の斜め前方からの分解斜視図
【図１５】電線を内側ホルダに組み付けた状態の斜め後方からの分解斜視図
【図１６】電線を保持部材に保持させた状態の斜め前方からの斜視図
【図１７】電線を保持部材に保持させた状態の斜め後方からの斜視図
【図１８】電線を保持部材に保持させた状態の背面図
【図１９】図１８の一部断面背面図
【図２０】電線を保持部材に保持させた状態の一部断面左側面図
【図２１】電線を保持部材に保持させた状態の一部断面底面図
【発明を実施するための形態】
【００１８】
本発明の一実施形態を図１ないし図２１によって説明する。
【００１９】
本実施形態の電線の保持構造１は、例えば電気自動車等の車両に搭載された複数の蓄電モジュール１０を接続する場合に使用することができる。図１に示すように、保持構造１は、電線２０と、電線２０の屈曲部２３に装着されて当該屈曲部２３を保持する保持部材３０と、を備えている。電線２０は、保持部材３０を蓄電モジュール１０のケース１１に設けられた取付孔１５（被取付部の一例）に固定することにより、所定の位置に配索される。
【００２０】
以下の説明においては、図１の上を上方、下を下方、左下を前方、右上を後方、左上を左、右下を右とする。また、前方をＸ方向、左方をＹ方向とする。なお、これらの方向は説明の便宜のために用いるものであり、保持構造１は、車両に対して任意の姿勢で配置することができる。
【００２１】
蓄電モジュール１０は、合成樹脂製で直方体状の箱形のケース１１の内部に複数の蓄電素子（図示せず）を備えたものであって、ケース１１の上壁のうち、長尺方向における一対の角部には、正極および負極の電極端子１２が設けられている。電極端子１２は、扁平な板状の端子台１３と、端子台１３の中央部から上方に向けて突出する丸棒状の電極ポスト１４とから構成されている。
【００２２】
ケース１１の側壁のうち前方に位置する側壁の、図１中右上の角部付近には、保持部材３０をケース１１に取り付けるための取付孔１５が貫通して形成されている。取付孔１５は、横長の楕円形状をなしている。
【００２３】
電線２０は、金属製の芯線２１の外周が合成樹脂製の絶縁被覆２２により被覆されてなる。その両端部には、図２に示すように、蓄電モジュール１０に接続するための接続端子２５が一対設けられている。各接続端子２５は板状をなすとともに、板面に沿ってＬ字形状に屈曲された形態をなしており、その先端の接続部に、蓄電モジュール１０の電極ポスト１４を挿通させるための接続孔２６が設けられている。
【００２４】
電線２０は、図３に示すように、その長さ方向における中間部において絶縁被覆２２が一部剥がされており、その剥がされた部分から芯線２１が露出している。そして芯線２１の露出部分が、略直角に屈曲された屈曲部２３とされている。
【００２５】
なお、本実施形態の電線２０は絶縁被覆２２の内部に２本の芯線２１を備えている。
【００２６】
電線２０の屈曲部２３には、保持部材３０が装着されている。保持部材３０は合成樹脂製であって、図３および図４に示すように、電線２０の延び方向（Ｘ方向およびＹ方向）に沿って二分割された内側ホルダ３１（第１分割体の一例）、および、外側ホルダ５１（第２分割体の一例）と、内側ホルダ３１に取り付けられて蓄電モジュール１０のケース１１に固定するためのクランプ７０（取付部の一例）と、を組み立てて構成されている。
【００２７】
内側ホルダ３１は、例えば図３に示すように、電線２０の屈曲部２３の曲げ方向における内側（図３の上方）に配されるものであって、曲げ方向における外側（図３の下方）に向けて開放された形態をなして電線２０を収容する内側電線収容溝３２を備えている。すなわち内側電線収容溝３２は、その内壁が曲げ方向における外側を向くように、延び方向における中央付近がＬ字形状に屈曲されている。この屈曲された部分を内側屈曲部３３とする。
【００２８】
内側電線収容溝３２は、内側屈曲部３３付近が、露出された芯線２１が配設される内側芯線収容部３６とされ、当該内側芯線収容部３６の両端側が、電線２０の絶縁被覆２２が配設される内側被覆収容部３７とされている。これら一対の内側被覆収容部３７は、互いに直交する方向（Ｘ方向およびＹ方向）に延びている。
【００２９】
以下、内側電線収容溝３２のうち、左右方向（Ｙ方向に沿う方向）延びる部分を内側第１電線収容溝３２Ａとし、前後方向（Ｘ方向に沿う方向）に延びる部分を内側第２電線収容溝３２Ｂとして説明する。
【００３０】
内側第２電線収容溝３２Ｂの内側芯線収容部３６には、内側第２電線収容溝３２Ｂの底部３４から立ち上がる板状の抜止片３８（抜止部の一例）が設けられている。抜止片３８の板面は、内側電線収容溝３２の延び方向（Ｘ方向およびＹ方向）に沿う向きとされている。また、抜止片３８の底部３４からの立ち上がり寸法は、溝壁３５の高さ寸法より長くなるように設定されており、後述する外側ホルダ５１が組み付けられた状態において、外側ホルダ５１の外側電線収容溝５２の底部５４にほぼ到達する寸法とされている。
【００３１】
この抜止片３８は、電線２０の保持部材３０からの抜けを防止するとともに、電線２０の捻れを抑制する作用を有する。
【００３２】
内側電線収容溝３２の一対の端部には、電線２０の径とほぼ同等程度の内径を有する半円形状に切り欠かれた内側第１保持部３９Ａ（第１保持部の一例）および内側第２保持部３９Ｂ（第１保持部の一例）が、内側電線収容溝３２を仕切るように底部３４および溝壁３５から立ち上がって設けられている。
【００３３】
一方外側ホルダ５１は、図４に示すように、電線２０の屈曲部２３の曲げ方向における外側に配されるものであって、電線２０を収容する外側電線収容溝５２が、曲げ方向における内側に向けて開放された形態をなしている。この外側電線収容溝５２は、露出された芯線２１の周囲を内側芯線収容部３６とともに覆って内部に収容するＬ字形状に屈曲された外側芯線収容部５６と、当該外側芯線収容部５６の両端部に配されて一対の内側被覆収容部３７とともに電線２０の絶縁被覆２２部分を収容する一対の外側被覆収容部５７と、から構成されている。一対の外側被覆収容部５７は、互いに直交する方向（Ｘ方向およびＹ方向）に延びている。
【００３４】
以下、外側電線収容溝５２のうち、左右方向（Ｙ方向に沿う方向）延びる部分を外側第１電線収容溝５２Ａとし、前後方向（Ｘ方向に沿う方向）に延びる部分を外側第２電線収容溝５２Ｂとする。
【００３５】
外側電線収容溝５２の一対の端部には、電線２０の径とほぼ同等程度の内径を有する半円形状に切り欠かれて上述した内側第１保持部３９Ａおよび内側第２保持部３９Ｂとの間で電線２０の絶縁被覆２２の周囲を保持する外側第１保持部５９Ａ（第２保持部の一例）および外側第２保持部５９Ｂ（第２保持部の一例）が、外側電線収容溝５２を仕切るように底部５４および溝壁５５から立ち上がって設けられている。
【００３６】
上述した内側ホルダ３１および外側ホルダ５１は、互いの溝壁３５，５５を突き合わせるようにして組み付けられ、後述する係止機構により係止されることにより、各電線収容溝３２，５２内に電線２０を収容するようになっている。
【００３７】
次に、係止機構について説明する。図３に示すように、内側ホルダ３１の内側第１電線収容溝３２Ａのうち、内側被覆収容部３７の下方側の溝壁３５（下部溝壁３５Ｂとする）の端縁部には、下方に向けて延びる板状の保持壁４０が設けられている。この保持壁４０の前面（外側ホルダ５１側の面）のうち、左側の端部（内側屈曲部３３とは反対側の端部）には、前方に向けて立ち上がって左右方向（Ｙ方向に沿う方向）に貫通し、後述する第１係止片６１を挿通させる第１受け部４１が設けられている。第１受け部４１の左側の縁部は略矩形に切り欠かれた第１係止部４１Ａとされており、この第１係止部４１Ａに後述する第１係止片６１の第１係止爪６１Ａが係止するようになっている。
【００３８】
また、内側ホルダ３１の内側第２電線収容溝３２Ｂの上方側の溝壁３５（上部溝壁３５Ａとする）のうち、後方側（内側屈曲部３３とは反対側）の端部寄りには、上面から上方に向けて立ち上がって左右方向（Ｙ方向に沿う方向）に貫通し、後述する第２係止片６２を挿通させる第２受け部４２が設けられている。第２受け部４２の左側の縁部は略矩形に切り欠かれた第２係止部４２Ａとされており、この第２係止部４２Ａに第２係止片６２の第２係止爪６２Ａが係止するようになっている。
【００３９】
同様に、内側ホルダ３１の内側第２電線収容溝３２Ｂの下部溝壁３５Ｂのうち、第２受け部４２に対向する位置には、下面から下方に向けて立ち上がって左右方向に貫通し、後述する第３係止片６３を挿通させる第３受け部４３が設けられている。第３受け部４３にも第３係止部４３Ａが形成されており、この第３係止部４３Ａに第３係止片６３の第３係止爪６３Ａが係止するようになっている。
【００４０】
さらに、内側ホルダ３１の内側第１電線収容溝３２Ａの上部溝壁３５Ａのうち、左側（内側屈曲部３３とは反対側）の端部には、上面から上方に向けて立ち上がって左右方向に貫通し、後述する補助片６４を挿通させる第４受け部４４が設けられている。第４受け部４４は、溝壁３５の高さ寸法と同等の幅寸法に設定されている。
【００４１】
一方、外側ホルダ５１の外側第１電線収容溝５２Ａのうち、外側被覆収容部５７の下部溝壁５５Ｂの端縁部には、下方に向けて延びるとともに左方（Ｙ方向）に向けてＬ字形状に屈曲された第１係止片６１が設けられている。第１係止片６１の左右方向（Ｙ方向に沿う方向）に延びる部分の幅寸法は、第１受け部４１内に挿通可能な寸法に設定されている。第１係止片６１の先端には、外側（前方）に向けて突出して上述した第１係止部４１Ａに係止する第１係止爪６１Ａが設けられている。
【００４２】
また、外側ホルダ５１の外側第２電線収容溝５２Ｂのうち、外側被覆収容部５７の上部溝壁５５Ａの上面には、左方（Ｙ方向）に向けて延びる第２係止片６２が設けられている。第２係止片６２の幅寸法は、第２受け部４２内に挿通可能な寸法に設定されている。第２係止片６２の先端には、上方に向けて突出して上述した第２係止部４２Ａに係止する第２係止爪６２Ａが設けられている。
【００４３】
同様に、外側ホルダ５１の外側第２電線収容溝５２Ｂの下部溝壁５５Ｂのうち、第２係止片６２に対向する位置には、左方（Ｙ方向）に向けて延びる第３係止片６３が設けられている。第３係止片６３の幅寸法は、第３受け部４３内に挿通可能な寸法に設定されている。第３係止片６３の先端にも上述した第３係止部４３Ａに係止する第３係止爪６３Ａが設けられている。
【００４４】
さらに、外側ホルダ５１には、上部溝壁５５Ａの上面側において外側屈曲部５３付近から外側第１電線収容溝５２Ａに沿って左方（Ｙ方向）に延びる補助片６４が設けられている。この補助片６４の前方側および右側（外側屈曲部５３側）の縁部は、上部溝壁５５Ａと一体とされている。
【００４５】
また、補助片６４の左側（外側屈曲部５３とは反対側）の端部は前方部分が切り欠かれることにより幅寸法が小さくされた差込部６４Ａとされており、この差込部６４Ａが上述した第４受け部４４内に挿通されるようになっている。
【００４６】
なお、差込部６４Ａの先端側（外側屈曲部５３とは反対側）の端縁部は、溝壁５５の端縁部よりやや左側（外側屈曲部５３とは反対側）に突出する位置まで延びている（図８参照）。
【００４７】
内側ホルダ３１、および外側ホルダ５１は、内側ホルダ３１の第１受け部４１、第２受け部４２、第３受け部４３内に、外側ホルダ５１の第１係止片６１、第２係止片６２、および第３係止片６３が挿通され、第１係止部４１Ａ、第２係止部４２Ａ、および第３係止部４３Ａに第１係止爪６１Ａ、第２係止爪６２Ａ、および第３係止爪６３Ａが係止することにより、組み付け状態が保持される。またこの時、第４受け部４４内に補助片６４の差込部６４Ａが挿通されることにより、組み付け姿勢が正規の姿勢に保持されるようになっている。
【００４８】
本実施形態の保持部材３０は、上述したように、蓄電モジュール１０に取り付けるためのクランプ７０（取付部の一例）を備えている。クランプ７０は合成樹脂材からなり、内側ホルダ３１の保持壁４０に取り付けられて内側ホルダ３１と一体化されるようになっている。
【００４９】
クランプ７０は、例えば図３に示すように、内側ホルダ３１に取り付けるためのホルダ固定部７１と、蓄電モジュール１０に取り付けるためのクランプヘッド部８０とを備えている。
【００５０】
ホルダ固定部７１は、図１１に示すように、正面視長方形状の被覆板部７２を備えている。被覆板部７２は、詳細には、その高さ方向の中央部が後方に向けて段差状に張り出した張出部７３とされている（図３および図４参照）。
【００５１】
被覆板部７２の上端縁および下端縁には、それぞれ、前方（Ｘ方向）に向けて延びる板状の案内壁部７４が一体的に設けられている。また、一対の案内壁部７４の間には、当該案内壁部７４に沿って延びる一対の案内片７５が設けられている。これら一対の案内片７５は、互いの板面が面一となるように平行に配されており、一端寄り（左寄り）の位置において板状の抜止部７６により架け渡されている。すなわち一対の案内片７５と抜止部７６とは、正面視略Ｈ形状をなすように配されている（図１１参照）。
【００５２】
一の案内壁部７４とその隣に配された案内片７５とは、一方側（右側）の端部において連結部７７によりそれぞれ連結されるとともに、被覆板部７２と一体とされている。また、一対の案内片７５のうち、抜止部７６より連結部７７側（右側）の領域は、互いに対向する端部が後方側（Ｘ方向と反対側）に向けて延びており、被覆板部７２と連結されている。
【００５３】
一方、上述した保持壁４０の背面側には、クランプ７０の一対の案内片７５を受け入れるための一対の案内片収容壁４５が設けられている。これらの案内片収容壁４５は、保持壁４０の背面から断面Ｌ字形状に立ち上がるように設けられている。
【００５４】
より詳しくは、図７に示すように、上方側の案内片収容壁４５は、内側第１電線収容溝３２Ａの下部溝壁３５Ｂから所定距離離れた位置から後方（Ｘ方向と反対方向）に向けて立ち上がるとともに、下方に向けてＬ字形状に屈曲されている。また、下方側の案内片収容壁４５は、保持壁４０の下端から後方に向けて立ち上がるとともに、上方に向けてＬ字形状に屈曲されている。図３に示すように、一対の案内片７５は、これらの一対の案内片収容壁４５の間に右から左に向けて（Ｙ方向に）挿入されるようになっている。
【００５５】
一対の案内片収容壁４５は、案内片７５の挿入方向の先端側において案内片７５を突き当てるための突当部４６を備えている（図６および図１９参照）。突当部４６も保持壁４０から後方に向けて立ち上がるように設けられており、案内片収容壁４５と連なっている。
【００５６】
また一対の案内片収容壁４５は、案内片７５の挿入方向における先端寄りの位置（左寄りの位置、図６の背面図においては右寄りの位置）において、連結壁４７により一部が連結されている。この連結壁４７には、一対の案内片収容壁４５の間において前記挿入方向と反対方向（右方、Ｙ方向と反対側）に向けて延びる規制片保持部４８が設けられている。
【００５７】
規制片保持部４８は、保持壁４０側（前方、Ｘ方向）に向けて開放する断面Ｕ字形状をなしており、その内側に、先端部（右端部）から保持壁４０側（前方、Ｘ方向）かつ挿入方向側（左方、Ｙ方向）に向けて片持ち状に延びてクランプ７０の抜止部７６をの移動を規制する規制片４９が設けられている（図２１参照）。
【００５８】
クランプ７０を保持壁４０に保持させる際には、クランプ７０の一対の案内片７５を一対の案内片収容壁４５の間に挿入するとともに、上側の案内壁部７４を内側第１電線収容溝３２Ａの下部溝壁３５Ｂと上側の案内壁部７４との間の隙間（以下、案内溝５０とする）に挿入する。
【００５９】
クランプ７０が保持壁４０の所定の位置に保持された状態においては、図１９に示すように、一対の案内片７５が突当部４６に突き当てられて挿入方向側（Ｙ方向）への抜け止めがなされるとともに、抜止部７６の右方（Ｙ方向と反対方向）への移動が規制片４９により規制されることにより、挿入方向と反対側（Ｙ方向と反対方向）への抜け止めがなされるようになっている。
【００６０】
なお、上述した規制片４９は、一対の案内片７５が突当部４６に突き当てられた状態において、抜止部７６との間に若干の隙間Ｓを有するように設定されている。
【００６１】
クランプヘッド部８０は、例えば図１２および図１３に示すように、被覆板部７２の背面側（案内片７５とは反対側の面）の高さ方向における中央部（張出部７３）、かつ、左寄り（図１２の背面図においては右寄り）において、後方（Ｘ方向と反対方向）に向けて突出して一体的に設けられている。
【００６２】
クランプヘッド部８０は、張出部７３から後方に向けて横長の略楕円柱状に突出する基部８１を有している。基部８１の基端の僅かに後方側から後端部にかけては、当該基部８１の上面および下面から上方および下方に向けて突出して平面状の上面および下面を有する嵌合部８２が設けられている。嵌合部８２は、蓄電モジュール１０の取付孔１５の内周縁に嵌合する部分である。
【００６３】
また、嵌合部８２の後方には、嵌合部８２の上面および下面から上方および下方に向けて突出する一対の突出部８３が設けられている。これら突出部８３は前面（被覆板部７２側の面）が垂直方向、すなわち、被覆板部７２と平行になる方向に立ち上がっており、クランプ７０が蓄電モジュール１０のケース１１に取り付けられた状態において、ケース１１の内面に突き当てられるようになっている（図２０参照）。
【００６４】
突出部８３より後方側は、上下方向において平面的に徐々に縮径する傾斜状とされるとともに、さらにその先端側は曲面状に膨出した形態の先端部８４とされている（図１３参照）。
【００６５】
またクランプヘッド部８０の略楕円柱状の基部８１は、図１２に示すように、嵌合部８２を挟んだ両側方の対角配置された領域（図１２の左上および右下）が切り欠かれている。また、これらの切り欠かれた部分の端縁部には先端部８４にかけて延びる繋ぎ部８５が設けられている。繋ぎ部８５は左右方向において先端部８４に向けて縮径するとともに、先端部８４に連なっている（図２１参照）。
【００６６】
また、クランプヘッド部８０は、一対の押さえ片８６を備えている。押さえ片８６は、上述した張出部７３の段差状の部分（段差部７３Ａ）から、それぞれ斜め上方かつ後方と、斜め下方かつ後方に向けて延びる板状とされている。これらの押さえ片８６の先端部と、上述した突出部８３とで、蓄電モジュール１０のケース１１を挟持するようになっている（図２０参照）。
【００６７】
本実施形態の保持部材３０は以上のような構成であって、次に、組み付け方法の一例について説明する。なお、各図においては必ずしも組み付け状態が下記に説明する組み付け順となっていない場合がある。
【００６８】
電線２０を保持部材３０に組み付ける際には、まず、図３に示すように、電線２０の屈曲させたい部分の絶縁被覆２２を剥ぎ取り、芯線２１を露出させる。そして、露出した芯線２１が内側ホルダ３１の内側屈曲部３３付近に配されるように電線２０を内側ホルダ３１に近づけ、内側電線収容溝３２内に収容する（図１４参照）。
【００６９】
この時、一対の芯線２１の間に抜止片３８を挿入する。また、電線２０の絶縁被覆２２を、内側ホルダ３１の両端部の内側第１保持部３９Ａおよび内側第２保持部３９Ｂに嵌め入れる。
【００７０】
この状態においては、図１４に示すように、電線２０の芯線２１は内側電線収容溝３２の内側屈曲部３３において屈曲され（屈曲部２３）るとともに、内側屈曲部３３を挟んだ両側に配されている。また、一対の芯線２１のうち内側第２電線収容溝３２Ｂに配された部分は、抜止片３８により上方および下方に分かれて配されている。
【００７１】
内側電線収容溝３２のうち、芯線２１が配されている領域は、上述した内側芯線収容部３６である。また、この内側芯線収容部３６の両端部は、絶縁被覆２２が収容される内側被覆収容部３７である。
【００７２】
本実施形態において、内側第１電線収容溝３２Ａの内側被覆収容部３７は、同じく内側第１電線収容溝３２Ａの内側芯線収容部３６の３倍程度の長さ寸法を有している。また、内側第２電線収容溝３２Ｂの内側被覆収容部３７は、同じく内側第２電線収容溝３２Ｂの内側芯線収容部３６と同等程度の長さ寸法となるように設定されている。いずれにしても、内側被覆収容部３７は内側芯線収容部３６と比較して同等以上の長さ寸法を有している。
【００７３】
この長さ寸法は、外側芯線収容部５６および外側被覆収容部５７についても同様である。
【００７４】
このように、被覆収容部３７、５７を芯線収容部３６、５６と同等以上の長さ寸法とすることにより、芯線２１の露出部と保持部材３０との寸法公差や、例えば、蓄電モジュール１０間の配置交差（電線２０の設置公差）が大きい場合でも、被覆収容部３７、５７によりその余長を十分に吸収することができる（余長吸収部の一例）。
【００７５】
このように、電線２０が内側ホルダ３１の所定位置に収容されたら、外側ホルダ５１を内側ホルダ３１に組み付ける。具体的には、外側ホルダ５１を図１４中の右側から内側ホルダ３１に近づけ（Ｙ方向に沿って近づけ）、第１係止片６１を第１受け部４１に挿通させ、第２係止片６２を第２受け部４２に挿通させ、第３係止片６３を第３受け部４３に挿通させ、補助片６４を第４受け部に挿通させる。すると、各係止片６１，６２，６３が各受け部４１，４２，４３内で弾性変形するとともに、各係止爪６１Ａ，６２Ａ，６３Ａが係止部４１Ａ，４２Ａ，４３Ａに到達した時点で弾性復帰する。これにより、内側ホルダ３１および外側ホルダ５１が組み付け状態とされる（図１６および図１７参照）。またこの時、補助片６４の差込部６４Ａが第４受け部４４内に挿通されることにより、組み付け姿勢が正規の姿勢に保持される。
【００７６】
この状態において、芯線２１の露出部分は内側ホルダ３１および外側ホルダ５１により覆われることにより、外部に対して絶縁状態とされている。また、電線２０の保持部材３０からの導出部分は、一方側が内側ホルダ３１の内側第１保持部３９Ａおよび外側ホルダの外側第１保持部５９Ａにより保持され、他方側が内側ホルダ３１の内側第２保持部３９Ｂおよび外側ホルダ５１の外側第２保持部５９Ｂにより保持されている。
【００７７】
次に、単品の状態のクランプ７０を蓄電モジュール１０のケース１１に設けられた取付孔１５に取り付ける。具体的には、クランプ７０のクランプヘッド部８０を取付孔１５に近づけ、突出部８３が左右方向に配される向き（ホルダ固定部７１が縦長となる向き）で先端部８４を取付孔１５内に挿入する。そして、９０度回転させながら取付孔１５の奥方に押し込む。
【００７８】
すると、図２０に示すように、一対の突出部８３と押さえ片８６との間にケース１１の側壁が挟持され、これにより、クランプ７０がケース１１に対して固定される。
【００７９】
次に、組み付け状態の内側ホルダ３１、外側ホルダ５１、および電線２０をクランプ７０に取り付ける。具体的には、クランプ７０の一対の案内片７５を内側ホルダ３１の一対の案内片収容壁４５の間に相対的に挿入するとともに、上側の案内壁部７４を案内溝５０に相対的に挿入する。すると、内側ホルダ３１の規制片４９がクランプ７０の抜止部７６により規制片保持部４８側に弾性変形する。さらに案内片７５（クランプ７０）を案内片収容壁４５の奥方に挿入させると、規制片４９の先端が抜止部７６を乗り越え、弾性復帰する（図２１参照）。これにより、クランプ７０の挿入方向と反対側（Ｙ方向と反対方向）への移動が規制される。
【００８０】
また、クランプ７０の一対の案内片７５が案内片収容壁４５の奥方まで挿入された状態においては、図１９に示すように、一対の案内片７５は突当部４６に突き当てられ、挿入方向側（Ｙ方向）への抜け止めがなされる。
【００８１】
なお、上述した規制片４９は、一対の案内片７５が突当部４６に突き当てられた状態において、抜け止め部７６との間に隙間Ｓを有している。これにより、組み付け時の交差吸収が可能である。
【００８２】
最後に、電線２０の端末に設けられた接続端子２５の接続孔２６に電極端子１２の電極ポスト１４を挿通させる。これにより、電線２０を複数の蓄電モジュールの所定位置に配索することができる。
【００８３】
このような本実施形態の電線の保持構造１によれば、電線２０は、露出された芯線２１の部分で屈曲されるから、所望の角度に屈曲し易く、また、屈曲部２３に絶縁被覆２２による回復力も作用しないから、屈曲状態が維持され易い。しかもこの屈曲部２３は、絶縁性の保持部材３０により被覆されて、屈曲状態が確実に保持されるようになっている。また、保持部材３０により外部との絶縁性も確保される。
【００８４】
すなわち、屈曲し難い太い径の電線２０を使用する場合でも、電線２０の取り扱いや設置が容易な電線の保持構造１が得られる。
【００８５】
また、保持部材３０は内部に収容した電線２０の余長を吸収するだけの十分な長さ寸法を有する被覆収容部３７，５７（余長吸収部の一例）を備えているから、芯線２１の露出部と保持部材３０との寸法公差や、蓄電モジュール１０間の配置交差（電線２０の設置公差）が大きい場合でも、それらの公差を吸収することができる。
【００８６】
また、保持部材３０は内部に収容した露出した状態の芯線２１を抜け止め状態に保持する抜止片３８を備えているから、保持部材３０から芯線２１が露出することがより確実に抑制される。
【００８７】
また、保持部材３０は蓄電モジュール１０（ケース１１）に取り付けるためのクランプ７０を一体に備えているから、電線２０を取り付けたい所望の位置に安定した状態で配索することができる。
【００８８】
さらに、保持部材３０は電線２０の延び方向（Ｘ方向およびＹ方向）に沿って分割された内側ホルダ３１および外側ホルダ５１を備えており、内側ホルダ３１は、絶縁被覆２２の周囲を外側第１保持部５９Ａおよび外側第２保持部５９Ｂとの間で保持する内側第１保持部３９Ａおよび内側第２保持部３９Ｂを備えており、外側ホルダ５１は、内側ホルダ３１に組み付けられた状態で内側第１保持部３９Ａおよび内側第２保持部３９Ｂとの間で絶縁被覆２２の周囲を保持する外側第１保持部５９Ａおよび外側第２保持部５９Ｂを備えている。
【００８９】
したがって、屈曲された電線２０に保持部材３０を簡単に取り付けることができる。また、内側ホルダ３１と外側ホルダ５１との組み付け状態においては、内側第１保持部３９Ａと外側第１保持部５９Ａとの間、および、内側第２保持部３９Ｂと外側第２保持部５９Ｂとの間に絶縁被覆２２の周囲を保持するようになっているから、電線２０が延び方向において保持部材３０から位置ずれすることが抑制されるとともに、電線２０が振動によりがたつくことを抑制することができる。
【００９０】
＜他の実施形態＞
本発明は上記記述及び図面によって説明した実施形態に限定されるものではなく、例えば次のような実施形態も本発明の技術的範囲に含まれる。
【００９１】
（１）上記実施形態では、複数の蓄電モジュール１０間を接続する電線の保持構造１を示したが、電線２０は、電源とインバータ等、モータ等、他の電気機器等と接続するものであってもよい。
【００９２】
（２）上記実施形態では、１本の電線の保持構造を示したが、複数の電線を保持させる構成にも適用することができる。
【００９３】
（３）抜止片３８は省略することもできる。
【００９４】
（４）上記実施形態では、保持部材３０の両端部に電線２０の絶縁被覆２２の周囲を保持する保持部（３９，５９）を設ける構成としたが、保持部は省略してもよく、両端部のうちの片側の端部だけに設ける構成としてもよい。
【００９５】
（５）上記実施形態では、保持部材３０を電線２０の屈曲方向における内側および外側に分割した形態を示したが、例えば、上方と下方に分割する構成としてもよい。
【００９６】
（６）クランプ７０は省略することもできる。
【符号の説明】
【００９７】
１…電線の保持構造
１０…蓄電モジュール
１１…ケース（被取付部）
１５…取付孔（被取付部）
２０…電線
２１…芯線
２２…絶縁被覆
２３…屈曲部
３０…保持部材
３１…内側ホルダ（第１分割体）
３２…内側電線収容溝
３６…内側芯線収容部
３７…内側被覆収容部（被覆収容部、余長吸収部）
３８…抜止片（抜止部）
３９Ａ…内側第１保持部（第１保持部）
３９Ｂ…内側第２保持部（第１保持部）
４０…保持壁
５１…外側ホルダ（第２分割体）
５２…外側電線収容溝
５６…外側芯線収容部
５７…外側被覆収容部（被覆収容部、余長吸収部）
５９Ａ…外側第１保持部（第２保持部）
５９Ｂ…外側第２保持部（第２保持部）
７０…クランプ（取付部）
８０…クランプヘッド部（取付部）
Ｘ…電線の延び方向
Ｙ…電線の延び方向
【図１】
2018153020.tif 000003
【図２】
2018153020.tif 000004
【図３】
2018153020.tif 000005
【図４】
2018153020.tif 000006
【図５】
2018153020.tif 000007
【図６】
2018153020.tif 000008
【図７】
2018153020.tif 000009
【図８】
2018153020.tif 000010
【図９】
2018153020.tif 000011
【図１０】
2018153020.tif 000012
【図１１】
2018153020.tif 000013
【図１２】
2018153020.tif 000014
【図１３】
2018153020.tif 000015
【図１４】
2018153020.tif 000016
【図１５】
2018153020.tif 000017
【図１６】
2018153020.tif 000018
【図１７】
2018153020.tif 000019
【図１８】
2018153020.tif 000020
【図１９】
2018153020.tif 000021
【図２０】
2018153020.tif 000022
【図２１】
2018153020.tif 000023